(57)【要約】【課題】ノートパソコンの液晶画面の外枠等に簡単に取り付けることができ、ノートパソコン等のステレオ音声の再生が可能であり、なおかつ左右の音声チャンネルスピーカーを好きな位置に取り付けることができるため、ノートパソコン等の液晶画面外枠上部に内蔵されることの多いカメラのレンズを、覆い隠してしまうことの無いステレオスピーカーを開発する。【解決手段】スピーカー１にクリップ２を設け、このクリップ２によりノートパソコンの液晶画面の外枠等に取り付ける。【選択図】  図１
0003149478.tif 000002
【実用新案登録請求の範囲】
【請求項１】
左右のスピーカー１にクリップ２を設け、ノートパソコンの液晶画面の外枠等に取り付け可能としたクリップ付きステレオスピーカー。
【請求項２】
クリップ２の挟む部分に緩衝材を設けた請求項１記載のクリップ付きステレオスピーカー。
【請求項３】
クリップ２の挟む部分の一端を長くすることで、パソコンの液晶画面の外枠等に、より安定して取り付け可能とした請求項１記載のクリップ付きステレオスピーカー。
【請求項４】
クリップ２の挟む部分の幅を広くすることで、パソコンの液晶画面の外枠等に、より安定して取り付け可能とした請求項１記載のクリップ付きステレオスピーカー。
【請求項５】
クリップ２の挟む部分の一端を回転可能とすることで、パソコンの液晶画面の傾斜のついた外枠等に安定して取り付け可能とした請求項１記載のクリップ付きステレオスピーカー。
【請求項６】
クリップ２をスピーカー１に回転可能に取り付けることにより、スピーカー１の角度を調節可能とした請求項１記載のクリップ付きステレオスピーカー。
【請求項７】
スピーカー１にストッパー付きリールを内蔵することにより、プラグ接続用コード３の長さを調節可能とし、様々な大きさのパソコンの液晶画面等に取り付け可能とした請求項１記載のクリップ付きステレオスピーカー。
【請求項８】
プラグ接続用コード３の途中にストッパー付きリール６を設けることにより、ケーブルの長さを調節可能とし、様々な大きさのパソコンの液晶画面等に取り付け可能とした請求項１記載のクリップ付きステレオスピーカー。
【請求項９】
スピーカー１にＵＳＢケーブル７を設けることにより、パソコン等から音声信号あるいは電源あるいはその両方を供給可能とした請求項１記載のクリップ付きステレオスピーカー。
【考案の詳細な説明】
【技術分野】
【０００１】
この考案は、クリップによりノートパソコンの液晶画面の外枠等に取り付けることが可能なステレオスピーカーに関するものである。
【背景技術】
【０００２】
従来のクリップ付きスピーカーは、クリップが大きく開かないためノートパソコンの液晶画面の外枠等に取り付けることができない、あるいはモノラル音声の再生能力しか無いため、ノートパソコン等のステレオ音声の再生には不適当であった。また、液晶画面外枠の上部に取り付けるタイプの、左右の音声チャンネルのスピーカーが一体となった形状のクリップ付きステレオスピーカーは、スピーカーの取り付け方が限定される上、ノートパソコン等の液晶画面外枠上部に内蔵されることの多いカメラのレンズを、クリップにより覆い隠してしまう可能性が懸念された。
【考案の開示】
【考案が解決しようとする課題】
【０００３】
本案はそれらの欠点を除いて、ノートパソコンの液晶画面の外枠等の好きな位置に簡単に取り付けることができ、取り回しの容易なステレオスピーカーを開発しようとするものである。
【課題を解決するための手段】
【０００４】
これを図面について説明すると、スピーカー１にクリップ２を設ける。このクリップ２によりノートパソコンの液晶画面の外枠等に取り付ける。
【考案の効果】
【０００５】
したがって、ノートパソコンの液晶画面の外枠等の好きな位置にステレオスピーカーを簡単に取り付けられ、取り回しが容易であり、ノートパソコン等のステレオ音声の再生能力を有効に活用することが可能である。また、液晶画面の外枠に内蔵されることの多いカメラのレンズを覆い隠すことが無い。さらに、ノートパソコン等に内蔵のスピーカーは、容積の都合上小さく音質の悪い場合が多いが、本案にはそのような制約が無いため、より大きく高性能なスピーカーを本案に用いれば、高音質な音声を手軽に聞くことができる。
【実施例】
【０００６】
なお、本考案の実施に当たって次の如きことができる。
(イ) プラグ接続用コード３を、一方のスピーカー内を経由させ、片方のスピーカーのみから延びてプラグ４に接続する構造とすることで、取り回しをより容易にする。
(ロ) クリップ２の挟む部分に緩衝材を設けることにより、挟む物に傷が付かないようにする。緩衝材としてゴムやスポンジ等が利用可能である。
(ハ) クリップ２の挟む部分の一端を長くすることで、パソコン等の液晶画面をクリップで隠してしまうことなく、より安定して取り付け可能とする。
(ニ) クリップ２の挟む部分の幅を広くすることで、パソコンの液晶画面の外枠等により安定して取り付け可能とする。またスピーカーが円形や縦に細長い形状のため自立しない場合に、幅の広いクリップを支えとしてスピーカーを立てて置くことを可能とする。
(ホ) クリップ２の挟む部分の一端を回転可能とすることで、パソコンの液晶画面の外枠等に傾斜がある場合でも安定して取り付け可能とする。
(ヘ) クリップ２をスピーカー１に回転可能に取り付けることにより、スピーカー１の角度を調節し、より音声を聞き取りやすい設置を可能とする。
(ト) スピーカー１にストッパー付きリールを内蔵することにより、プラグ接続用コード３の長さを調節可能とし、様々な大きさのパソコンの液晶画面等に取り付け可能とする。
(チ) プラグ接続用コード３の途中にストッパー付きリール６を設けることにより、ケーブルの長さを調節可能とし、様々な大きさのパソコンの液晶画面等に取り付け可能とする。
(リ) プラグ接続用コード３と、スピーカーとの接続部をプラグとジャックによる接続とすることにより着脱可能とし、収納や持ち運びを容易にする。
(ヌ) スピーカー１にＵＳＢケーブル６を設けることにより、パソコン等から音声信号あるいは電源あるいはその両方を供給可能とすることで、ＵＳＢを介した使用あるいはより高音質な音声の再生を可能とする。
【図面の簡単な説明】
【０００７】
【図１】本考案の一実施例の斜視図
【図２】本考案の一実施例の側面図
【図３】本考案の一実施例の使用斜視図
【図４】本考案の他の実施例を示す斜視図
【図５】本考案のクリップの挟む部分に緩衝材を設けた斜視図
【図６】本考案のクリップの挟む部分の一端を長くした斜視図
【図７】本考案のクリップの挟む部分の幅を広くした斜視図
【図８】本考案のクリップの挟む部分の一端を回転可能とした斜視図
【図９】本考案のクリップをスピーカーに回転可能に取り付けた側面図
【図１０】本考案のプラグ接続用コードの途中にストッパー付きリールを設けた斜視図
【図１１】本考案のスピーカーにＵＳＢケーブルを設けた斜視図
【符号の説明】
【０００８】
１はスピーカー
２はクリップ
３はプラグ接続用コード
４はプラグ
５は緩衝材
６はストッパー付きリール
７はＵＳＢケーブル
【図１】
0003149478.tif 000003
【図２】
0003149478.tif 000004
【図３】
0003149478.tif 000005
【図４】
0003149478.tif 000006
【図５】
0003149478.tif 000007
【図６】
0003149478.tif 000008
【図７】
0003149478.tif 000009
【図８】
0003149478.tif 000010
【図９】
0003149478.tif 000011
【図１０】
0003149478.tif 000012
【図１１】
0003149478.tif 000013